(57)【要約】【課題】  記録媒体に関する設定情報を決定する。【解決手段】  ＭＦＰは、画像を処理するための設定情報を設定する設定部６５と、被写体を撮像した画像を出力するＨＭＤが記録媒体を被写体として撮像して出力する画像に基づいて、記録媒体の物理的な特徴を特徴情報として決定する特徴情報決定５５と、記録媒体が載置される部位を決定する部位決定５７と、決定された特徴情報および決定された部位に基づいて設定情報を決定する設定情報決定５５と、を備える。【選択図】        図５
2016153206.tif 000002
【特許請求の範囲】
【請求項１】
撮像装置と画像処理装置とを含む画像処理システムであって、
前記画像処理装置は、
画像を処理するための設定情報を設定する設定手段を備え、
前記撮像装置は、
被写体を撮像した画像を出力する撮像手段を備え、
前記撮像装置および前記画像処理装置のいずれか一方は、前記撮像手段が記録媒体を被写体として撮像して出力する画像に基づいて、前記記録媒体の物理的な特徴を特徴情報として決定する特徴決定手段をさらに備え、
前記撮像装置および前記画像処理装置のいずれか一方は、前記記録媒体が載置される部位を決定する部位決定手段をさらに備え、
前記撮像装置および前記画像処理装置のいずれか一方は、前記決定された特徴情報および前記決定された部位に基づいて設定情報を決定する設定情報決定手段を、さらに備えた、画像処理システム。
【請求項２】
画像を処理するための設定情報を設定する設定手段と、
被写体を撮像した画像を出力する撮像手段が記録媒体を被写体として撮像して出力する画像に基づいて、前記記録媒体の物理的な特徴を特徴情報として決定する特徴情報決定手段と、
前記記録媒体が載置される部位を決定する部位決定手段と、
前記決定された特徴情報および前記決定された部位に基づいて設定情報を決定する設定情報決定手段と、を備えた、画像処理装置。
【請求項３】
原稿を読み取る原稿読取手段と、
前記原稿読取手段に原稿を搬送する原稿搬送手段と、をさらに備え、
前記設定情報決定手段は、前記部位決定手段により前記原稿搬送手段が決定される場合、原稿に関する設定情報を決定する、請求項２に記載の画像処理装置。
【請求項４】
用紙に画像を形成する画像形成手段と、
前記画像形成手段に用紙を搬送する給紙手段と、をさらに備え、
前記設定情報決定手段は、前記部位決定手段により前記給紙手段が決定される場合、用紙に関する設定情報を決定する、請求項２または３に記載の画像処理装置。
【請求項５】
所定の位置に配置され、前記記録媒体を検出する記録媒体検出手段を、さらに備え、
前記部位決定手段は、前記記録媒体検出手段により記録媒体が検出されることに応じて、前記記録媒体検出手段が配置される位置に対応する部位を前記記録媒体が載置される部位に決定する、請求項２〜４のいずれかに記載の画像処理装置。
【請求項６】
前記部位決定手段は、前記撮像手段が記録媒体を被写体として撮像して出力する画像に基づいて、前記記録媒体が載置される部位を決定する、請求項２〜４のいずれかに記載の画像処理装置。
【請求項７】
前記設定手段により設定されている設定情報が、前記設定情報決定手段により決定された設定情報と異なる場合、警告する警告手段を、さらに備えた、請求項２〜６のいずれかに記載の画像処理装置。
【請求項８】
ユーザーによる操作を受け付ける操作受付手段と、
前記操作受付手段により受け付けられた設定情報が、前記設定情報決定手段により決定された設定情報と異なる場合、警告する警告手段と、をさらに備えた請求項２〜７のいずれかに記載の画像処理装置。
【請求項９】
前記記録媒体の物理的特徴は、記録媒体のサイズ、記録媒体の方向、記録媒体に形成された画像の有無、記録媒体に形成された画像の種類の少なくとも１つである、請求項２〜８のいずれかに記載の画像処理装置。
【請求項１０】
前記記録媒体に形成された画像の種類は、画像の属性および色の数のすくなくとも１つを含む、請求項９に記載の画像処理装置。
【請求項１１】
画像を処理するための設定情報を設定する設定ステップと、
被写体を撮像した画像を出力する撮像手段が記録媒体を被写体として撮像して出力する画像に基づいて、前記記録媒体の物理的な特徴を特徴情報として決定する特徴情報決定ステップと、
前記記録媒体が載置される部位を決定する部位決定ステップと、
前記決定された特徴情報および前記決定された部位に基づいて設定情報を決定する設定情報決定ステップと、を画像処理装置に実行させる設定方法。
【請求項１２】
画像を処理するための設定情報を設定する設定ステップと、
被写体を撮像した画像を出力する撮像手段が記録媒体を被写体として撮像して出力する画像に基づいて、前記記録媒体の物理的な特徴を特徴情報として決定する特徴情報決定ステップと、
前記記録媒体が載置される部位を決定する部位決定ステップと、
前記決定された特徴情報および前記決定された部位に基づいて設定情報を決定する設定情報決定ステップと、を画像処理装置を制御するコンピューターに実行させる設定プログラム。
【発明の詳細な説明】
【技術分野】
【０００１】
この発明は、画像処理システム、画像処理装置、設定方法および設定プログラムに関し、特に、撮像機能を備えた撮像装置と画像処理装置とを含む画像処理システム、その画像処理装置およびその画像処理装置で実行される設定方法および設定プログラムに関する。
【背景技術】
【０００２】
複合機は、原稿を読み取る機能、画像を用紙に形成する機能を有する。複合機に原稿を読み取らせる場合、読み取りの対象となる原稿に関する設定する必要がある。また、複合機に画像を用紙に形成させる場合には、画像を形成する用紙に関する設定する必要がある。しかしながら、ユーザーにより設定される値に対応する原稿または用紙のあるべき状態と、実際に原稿または用紙がセットされている状態とが異なる場合がある。
【０００３】
用紙がセットされた表裏の状態を検出する技術として、例えば、特開２００２−２７３９９２号公報には、印刷媒体に印刷するプリンタにおいて、表裏面を区別するための特定処理が予め施された印刷媒体のこれから印刷される面が該印刷媒体の裏面であるか否かを検出する表裏検出手段と、前記表裏検出手段で、前記印刷媒体のこれから印刷される面が裏面であると検出されると、該印刷媒体が予め定められた通りにセットされていない旨を出力する出力手段と、を備えていることを特徴とするプリンタが記載されている。
【０００４】
しかしながら、特開２００２−２７３９９２号公報に記載のプリンタは、記録媒体に、表裏面を区別するための特定処理を予め施す必要があり、特別な記録媒体を用いなければならないといった問題がある。
【特許文献１】特開２００２−２７３９９２号公報
【発明の概要】
【発明が解決しようとする課題】
【０００５】
この発明は上述した問題点を解決するためになされたもので、この発明の目的の１つは、記録媒体に関する設定情報を決定することが可能な画像処理システムを提供することである。
【０００６】
この発明の他の目的は、記録媒体に関する設定情報を決定することが可能な画像処理装置を提供することである。
【０００７】
この発明のさらに他の目的は、記録媒体に関する設定情報を決定することが可能な設定方法を提供することである。
【０００８】
この発明のさらに他の目的は、記録媒体に関する設定情報を決定することが可能な設定プログラムを提供することである。
【課題を解決するための手段】
【０００９】
上述した目的を達成するためにこの発明のある局面によれば、画像処理システムは、撮像装置と画像処理装置とを含む画像処理システムであって、画像処理装置は、画像を処理するための設定情報を設定する設定手段を備え、撮像装置は、被写体を撮像した画像を出力する撮像手段を備え、撮像装置および画像処理装置のいずれか一方は、撮像手段が記録媒体を被写体として撮像して出力する画像に基づいて、記録媒体の物理的な特徴を特徴情報として決定する特徴決定手段をさらに備え、撮像装置および画像処理装置のいずれか一方は、記録媒体が載置される部位を決定する部位決定手段をさらに備え、撮像装置および画像処理装置のいずれか一方は、決定された特徴情報および決定された部位に基づいて設定情報を決定する設定情報決定手段を、さらに備える。
【００１０】
この局面に従えば、記録媒体を被写体として撮像して出力する画像に基づいて、記録媒体の物理的な特徴を決定し、録媒体が載置される部位を決定し、特徴情報および記録媒体が載置される部位に基づいて設定情報を決定する。記録媒体が載置される部位から原稿と用紙とを判別でき、記録媒体の物理的な特徴から記録媒体に関する設定情報を決定することができる。その結果、記録媒体に関する設定情報を決定することが可能な画像処理システムを提供することができる。
【００１１】
この発明の他の局面によれば、画像処理装置は、画像を処理するための設定情報を設定する設定手段と、被写体を撮像した画像を出力する撮像手段が記録媒体を被写体として撮像して出力する画像に基づいて、記録媒体の物理的な特徴を特徴情報として決定する特徴情報決定手段と、記録媒体が載置される部位を決定する部位決定手段と、決定された特徴情報および決定された部位に基づいて設定情報を決定する設定情報決定手段と、を備える。
【００１２】
この局面に従えば、記録媒体に関する設定情報を決定することが可能な画像処理装置を提供することができる。
【００１３】
好ましくは、原稿を読み取る原稿読取手段と、原稿読取手段に原稿を搬送する原稿搬送手段と、をさらに備え、設定情報決定手段は、部位決定手段により原稿搬送手段が決定される場合、原稿に関する設定情報を決定する。
【００１４】
この局面に従えば、原稿の物理的な特徴に基づいて設定情報を決定するので、原稿を読み取るための設定情報を決定することができる。
【００１５】
好ましくは、用紙に画像を形成する画像形成手段と、画像形成手段に用紙を搬送する給紙手段と、をさらに備え、設定情報決定手段は、部位決定手段により給紙手段が決定される場合、用紙に関する設定情報を決定する。
【００１６】
この局面に従えば、用紙の物理的な特徴に基づいて設定情報を決定するので、画像を形成するための設定情報を決定することができる。
【００１７】
好ましくは、所定の位置に配置され、記録媒体を検出する記録媒体検出手段を、さらに備え、部位決定手段は、記録媒体検出手段により記録媒体が検出されることに応じて、記録媒体検出手段が配置される位置に対応する部位を記録媒体が載置される部位に決定する。
【００１８】
この局面に従えば、記録媒体が載置される部位を容易に判別することができる。
【００１９】
好ましくは、部位決定手段は、撮像手段が記録媒体を被写体として撮像して出力する画像に基づいて、記録媒体が載置される部位を決定する。
【００２０】
この局面に従えば、記録媒体が載置される部位を容易に判別することができる。
【００２１】
好ましくは、設定手段により設定されている設定情報が、設定情報決定手段により決定された設定情報と異なる場合、警告する警告手段を、さらに備える。
【００２２】
この局面に従えば、誤った設定情報が設定されるのを防止することができる。
【００２３】
好ましくは、ユーザーによる操作を受け付ける操作受付手段と、操作受付手段により受け付けられた設定情報が、設定情報決定手段により決定された設定情報と異なる場合、警告する警告手段と、をさらに備える。
【００２４】
この局面に従えば、ユーザーにより誤った設定情報が設定されるのを防止することができる。
【００２５】
好ましくは、記録媒体の物理的特徴は、記録媒体のサイズ、記録媒体の方向、記録媒体に形成された画像の有無、記録媒体に形成された画像の種類の少なくとも１つである。
【００２６】
好ましくは、記録媒体に形成された画像の種類は、画像の属性および色の数のすくなくとも１つを含む。
【００２７】
この発明のさらに他の局面によれば、設定方法は、画像を処理するための設定情報を設定する設定ステップと、被写体を撮像した画像を出力する撮像手段が記録媒体を被写体として撮像して出力する画像に基づいて、記録媒体の物理的な特徴を特徴情報として決定する特徴情報決定ステップと、記録媒体が載置される部位を決定する部位決定ステップと、決定された特徴情報および決定された部位に基づいて設定情報を決定する設定情報決定ステップと、を画像処理装置に実行させる。
【００２８】
この局面に従えば、記録媒体に関する設定情報を決定することが可能な設定方法を提供することができる。
【００２９】
この発明のさらに他の局面によれば、設定プログラムは、画像を処理するための設定情報を設定する設定ステップと、被写体を撮像した画像を出力する撮像手段が記録媒体を被写体として撮像して出力する画像に基づいて、記録媒体の物理的な特徴を特徴情報として決定する特徴情報決定ステップと、記録媒体が載置される部位を決定する部位決定ステップと、決定された特徴情報および決定された部位に基づいて設定情報を決定する設定情報決定ステップと、を画像処理装置を制御するコンピューターに実行させる。
【００３０】
この局面に従えば、記録媒体に関する設定情報を決定することが可能な設定方法を提供することができる。
【図面の簡単な説明】
【００３１】
【図１】本発明の実施の形態における画像処理システムの全体概要の一例を示す図である。
【図２】本実施の形態におけるＭＦＰの外観を示す斜視図である。
【図３】本実施の形態におけるＭＦＰのハードウェア構成の一例を示すブロック図である。
【図４】本実施の形態におけるＨＭＤのハードウェア構成の一例を示すブロック図である。
【図５】ＭＦＰが備えるＣＰＵが有する機能の一例を示す図である。
【図６】本実施の形態におけるＨＭＤが備えるＣＰＵが有する機能の一例を示すブロック図である。
【図７】第１の実施の形態における設定処理の流れの一例を示すフローチャートである。
【図８】特徴決定処理の流れの一例を示すフローチャートである。
【図９】原稿用設定情報決定処理の流れの一例を示すフローチャートである。
【図１０】用紙用設定情報決定処理の流れの一例を示すフローチャートである。
【図１１】第２の実施の形態におけるＭＦＰが備えるＣＰＵが有する機能の一例を示すブロック図である。
【図１２】第２の実施の形態におけるＨＭＤが備えるＣＰＵが有する機能の一例を示すブロック図である。
【図１３】第２の実施の形態における設定処理の流れの一例を示すフローチャートである。
【図１４】第２の実施の形態における遠隔制御処理の流れの一例を示すフローチャートである。
【発明を実施するための形態】
【００３２】
以下、本発明の実施の形態について図面を参照して説明する。以下の説明では同一の部品には同一の符号を付してある。それらの名称および機能も同じである。したがってそれらについての詳細な説明は繰り返さない。
【００３３】
＜第１の実施の形態＞
図１は、本発明の実施の形態における画像処理システムの全体概要の一例を示す図である。図１を参照して、画像処理システム１は、ＭＦＰ（Ｍｕｌｔｉ  Ｆｕｎｃｔｉｏｎ  Ｐｅｒｉｐｈｅｒａｌ）１００と、ヘッドマウントディスプレイ（以下、「ＨＭＤ」という）２００と、パーソナルコンピューター（以下「ＰＣ」という）３００と、を含む。
【００３４】
ＨＭＤ２００は、メガネの形状をしており、ユーザーにより装着されて使用される。ＨＭＤ２００は、撮像装置として機能し、被写体を撮像する撮像機能、無線ＬＡＮを用いた通信機能を少なくとも備えている。また、ＨＭＤ２００は、メガネのレンズ部分に画像を表示する表示機能を備えており、ＨＭＤ２００を装着するユーザーは、レンズを通して被写体を視認すると同時に、レンズに表示された画像を視認することができる。
【００３５】
ＭＦＰ１００は、画像処理装置として機能し、原稿を読み取るための原稿読取機能、画像データに基づいて紙などの記録媒体に画像を形成するための画像形成機能およびファクシミリデータを送受信するファクシミリ送受信機能を備えている。
【００３６】
ＰＣ３００は、一般的なコンピューターである。それらのハードウェア構成および機能は周知なので、ここでは説明を繰り返さない。
【００３７】
無線局３、ＭＦＰ１００、およびＰＣ３００それぞれは、ネットワーク２に接続される。ネットワーク２は、ローカルエリアネットワーク（ＬＡＮ）であり、接続形態は有線または無線を問わない。またネットワーク２は、ＬＡＮに限らず、公衆交換電話網（Ｐｕｂｌｉｃ  Ｓｗｉｔｃｈｅｄ  Ｔｅｌｅｐｈｏｎｅ  Ｎｅｔｗｏｒｋｓ）を用いたネットワーク等であってもよい。さらに、ネットワーク２は、インターネットなどのワイドエリアネットワーク（ＷＡＮ）であってもよい。
【００３８】
ネットワーク２は、さらに、インターネットに接続されてもよい。この場合、無線局３、ＭＦＰ１００、およびＰＣ３００それぞれは、ネットワーク２を介してインターネットに接続されたコンピューターと互いに通信可能である。無線局３は、ネットワーク２の中継装置であり、無線ＬＡＮを用いた通信機能を備えたＨＭＤ２００と通信して、ＨＭＤ２００をネットワーク２に接続する。このため、ＨＭＤ２００は、ＭＦＰ１００およびＰＣ３００と互いに通信可能である。
【００３９】
なお、ＨＭＤ２００に代えて、写体を撮像する撮像機能、画像を表示する表示機能、無線ＬＡＮを用いた通信機能を備えていれば、ＰＤＡ（Ｐｅｒｓｏｎａｌ  Ｄｉｇｉｔａｌ  Ａｓｓｉｓｔａｎｔｓ）、スマートフォンなど、ユーザーに携帯して使用される携帯情報装置を用いるようにしてもよい。
【００４０】
本実施の形態においては、ＨＭＤ２００を装着したユーザーがＭＦＰ１００を操作する場合を例に説明する。この場合、ＨＭＤ２００を装着するユーザーは、レンズを通してＭＦＰ１００を視認するので、ＨＭＤ２００は、ＭＦＰ１００を被写体として撮像する。
【００４１】
図２は、本実施の形態におけるＭＦＰの外観を示す斜視図である。図３は、本実施の形態におけるＭＦＰのハードウェア構成の一例を示すブロック図である。図２および図３を参照して、ＭＦＰ１００は、メイン回路１１０と、原稿を読み取るための原稿読取部１３０と、原稿を原稿読取部１３０に搬送するための自動原稿搬送装置１２０と、原稿読取部１３０が原稿を読み取って出力する画像データに基づいて用紙等に画像を形成するための画像形成部１４０と、画像形成部１４０に用紙を供給するための給紙部１５０と、画像が形成された用紙を処理する後処理部１５５と、ユーザーインターフェースとしての操作パネル１６０とを含む。
【００４２】
給紙部１５０は、画像形成部１４０に用紙を供給するための手差し給紙トレイ１５０Ａを含む。手差し給紙トレイ１５０Ａは、開閉自在であり、開いた状態で、記録媒体である用紙を収納可能であり、収納された用紙を１枚ずつ画像形成部１４０に供給する。
【００４３】
後処理部１５５は、画像形成部１４０により画像が形成された１以上の用紙を並び替えて排紙するソート処理、パンチ穴加工するパンチ処理、ステープル針を打ち込むステープル処理を実行する。
【００４４】
メイン回路１１０は、ＣＰＵ１１１と、通信インターフェース（Ｉ／Ｆ）部１１２と、ＲＯＭ１１３と、ＲＡＭ１１４と、大容量記憶装置としてのハードディスクドライブ（ＨＤＤ）１１５と、ファクシミリ部１１６と、ＣＤ−ＲＯＭ（Ｃｏｍｐａｃｔ  Ｄｉｓｋ  ＲＯＭ）１１７Ａが装着される外部記憶装置１１７と、センサー部１１８と、近距離通信部１１９と、を含む。ＣＰＵ１１１は、自動原稿搬送装置１２０、原稿読取部１３０、画像形成部１４０、給紙部１５０、後処理部１５５および操作パネル１６０と接続され、ＭＦＰ１００の全体を制御する。
【００４５】
ＲＯＭ１１３は、ＣＰＵ１１１が実行するプログラム、またはそのプログラムを実行するために必要なデータを記憶する。ＲＡＭ１１４は、ＣＰＵ１１１がプログラムを実行する際の作業領域として用いられる。また、ＲＡＭ１１４は、原稿読取部１３０から連続的に送られてくる読取データ（画像データ）を一時的に記憶する。
【００４６】
操作パネル１６０は、ＭＦＰ１００の上面に設けられ、表示部１６１と操作部１６３とを含む。表示部１６１は、液晶表示装置（ＬＣＤ）、有機ＥＬＤ（Ｅｌｅｃｔｒｏ−Ｌｕｍｉｎｅｓｃｅｎｃｅ  Ｄｉｓｐｌａｙ）等の表示装置であり、ユーザーに対する指示メニューや取得した画像データに関する情報等を表示する。操作部１６３は、複数のキーからなるハードキー部１６７を備え、キーに対応するユーザーの操作による各種の指示、文字、数字などのデータの入力を受け付ける。操作部１６３は、表示部１６１上に設けられたタッチパネル１６５をさらに含む。
【００４７】
通信Ｉ／Ｆ部１１２は、ＭＦＰ１００をネットワーク２に接続するためのインターフェースである。ＣＰＵ１１１は、通信Ｉ／Ｆ部１１２を介して、ＨＭＤ２００、ＰＣ３００との間で通信し、データを送受信する。また、通信Ｉ／Ｆ部１１２は、ネットワーク２を介してインターネット５に接続されたコンピューターと通信が可能である。
【００４８】
センサー部１１８は、ＭＦＰ１００が備える複数のセンサーを含み、複数のセンサーの出力を検出し、検出されたセンサー出力をメイン回路１１０に出力する。センサー部１１８は、自動原稿搬送装置１２０に配置され、自動原稿搬送装置１２０に載置された原稿を検出する原稿検出センサー、原稿のサイズを検出する原稿サイズ検出センサーを含む。また、センサー部１１７は、手差し給紙トレイ１５０Ａに配置され、手差し給紙トレイ１５０Ａの開閉を検出する開閉検出センサー、手差し給紙トレイ１５０Ａに収納された用紙を検出する用紙検出センサー、手差し給紙トレイ１５０Ａに載置された用紙のサイズを検出する用紙サイズ検出センサー、をさらに含む。
【００４９】
近距離通信部１１９は、Ｂｌｕｅｔｏｏｔｈ（登録商標）規格のＧＡＰ（Ｇｅｎｅｒｉｃ  Ａｃｃｅｓｓ  Ｐｒｏｆｉｌｅ）等に基づき、ＨＭＤ２００と無線により通信する。近距離通信部１１９は、ＨＭＤ２００との間の距離が通信可能な距離以下となると、ＨＭＤ２００と通信する。近距離通信部１１９が通信可能な距離は、数ｍである。また、近距離通信部１１９は、ＮＦＣ（Ｎｅａｒ  Ｆｉｅｌｄ  Ｃｏｍｍｕｎｉｃａｔｉｏｎ）の近距離無線通信方式で通信するようにしてもよい。この場合において、近距離通信部１１９が通信可能な距離は、数十ｃｍである。
【００５０】
ファクシミリ部１１６は、公衆交換電話網（ＰＳＴＮ）に接続され、ＰＳＴＮにファクシミリデータを送信する、またはＰＳＴＮからファクシミリデータを受信する。ファクシミリ部１１６は、受信したファクシミリデータを、ＨＤＤ１１５に記憶する、または画像形成部１４０に出力する。画像形成部１４０は、ファクシミリ部１１６により受信されたファクシミリデータを用紙にプリントする。また、ファクシミリ部１１６は、ＨＤＤ１１５に記憶されたデータをファクシミリデータに変換して、ＰＳＴＮに接続されたファクシミリ装置に送信する。
【００５１】
外部記憶装置１１７は、ＣＤ−ＲＯＭ１１７Ａが装着される。ＣＰＵ１１１は、外部記憶装置１１７を介してＣＤ−ＲＯＭ１１７Ａにアクセス可能である。ＣＰＵ１１１は、外部記憶装置１１７に装着されたＣＤ−ＲＯＭ１１７Ａに記録されたプログラムをＲＡＭ１１４にロードして実行する。なお、ＣＰＵ１１１が実行するプログラムを記憶する媒体としては、ＣＤ−ＲＯＭ１１７Ａに限られず、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリであってもよい。
【００５２】
また、ＣＰＵ１１１が実行するプログラムは、ＣＤ−ＲＯＭ１１７Ａに記録されたプログラムに限られず、ＨＤＤ１１５に記憶されたプログラムをＲＡＭ１１４にロードして実行するようにしてもよい。この場合、ネットワーク２に接続された他のコンピューターが、ＭＦＰ１００のＨＤＤ１１５に記憶されたプログラムを書換える、または、新たなプログラムを追加して書き込むようにしてもよい。さらに、ＭＦＰ１００が、ネットワーク２に接続された他のコンピューターからプログラムをダウンロードして、そのプログラムをＨＤＤ１１５に記憶するようにしてもよい。ここでいうプログラムは、ＣＰＵ１１１が直接実行可能なプログラムだけでなく、ソースプログラム、圧縮処理されたプログラム、暗号化されたプログラム等を含む。
【００５３】
図４は、本実施の形態におけるＨＭＤのハードウェア構成の一例を示すブロック図である。図４を参照して、本実施の形態におけるＨＭＤ２００は、ＨＭＤ２００の全体を制御するためのＣＰＵ２０１と、カメラ２０２と、データを不揮発的に記憶するフラッシュメモリ２０３と、情報を表示する表示部２０４と、無線ＬＡＮＩ／Ｆ２０５と、操作部２０６と、近距離通信部２０７と、を含む。
【００５４】
カメラ２０２は、レンズおよび光電変換素子を備え、レンズで集光した光を光電変換素子に結像し、光電変換素子は受光した光を光電変換して画像データをＣＰＵ２０１に出力する。光電変換素子は、ＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサー、ＣＣＤ（Ｃｈａｒｇｅ  Ｃｏｕｐｌｅｄ  Ｄｅｖｉｃｅ）センサー等である。カメラ２０２は、動画像の画像データを出力する。なお、ＨＭＤ２００に代えて、動画像を撮像可能であれば、ビデオカメラを用いてもよい。
【００５５】
表示部２０４は、透明な部材からなる液晶表示装置（ＬＣＤ）であり、ＨＭＤ２００のレンズの表面に埋め込まれている。表示部２０４の表示面は、ユーザーがＨＭＤ２００を装着した場合における視界と同じになるように配置される。このため、ユーザーの視界内の任意の位置に画像を表示することができる。カメラ２０２の光軸および撮像範囲は、表示部２０４の表示面を基準に定まる位置に配置される。具体的には、カメラ２０２の光軸および撮像範囲は、ユーザーがＨＭＤ２００を装着した場合における視界と同じになるように設定される。このため、カメラ２０２で撮像して得られる画像は、ユーザーが実際に見る視界内の画像とほぼ同じになる。
【００５６】
無線ＬＡＮＩ／Ｆ２０５は、無線局３と通信し、ＨＭＤ２００をネットワーク２に接続するためのインターフェースである。ＨＭＤ２００に、ＭＦＰ１００、ＰＣ３００それぞれのＩＰ（Ｉｎｔｅｒｎｅｔ  Ｐｒｏｔｏｃｏｌ）アドレスを登録しておくことにより、無線ＬＡＮＩ／Ｆ２０５は、ＭＦＰ１００、ＰＣ３００と通信することができ、データの送受信が可能となる。
【００５７】
近距離通信部２０７は、Ｂｌｕｅｔｏｏｔｈ（登録商標）規格のＧＡＰ等に基づき、ＭＦＰ１００，ＰＣ３００と無線により通信を行う。近距離通信部２０７は、ＭＦＰ１００またはＰＣ３００との間の距離が通信可能な距離以下となると、ＭＦＰ１００またはＰＣ３００と通信する。近距離通信部２０７が通信可能な距離は、数ｍである。また、近距離通信部２０７は、ＮＦＣの近距離無線通信方式で通信するようにしてもよい。この場合において、近距離通信部２０７が通信可能な距離は、数十ｃｍである。
【００５８】
なお、近距離通信部２０７は、ＭＦＰ１００またはＰＣ３００と通信可能になると、ＭＦＰ１００またはＰＣ３００との間の通信を無線ＬＡＮＩ／Ｆ２０５にハンドオーバーしてもよい。この場合、無線ＬＡＮＩ／Ｆ２０５は、ＭＦＰ１００またはＰＣ３００との間で通信経路を確立するためのネゴシエーションをする必要がないので、通信経路の確立が容易になる。ＨＭＤ２００は、近距離通信部２０７および無線ＬＡＮＩ／Ｆ２０５の何れを用いて通信してもよい。
【００５９】
フラッシュメモリ２０３は、ＣＰＵ２０１が実行するプログラム、またはそのプログラムを実行するために必要なデータを記憶する。ＣＰＵ２０１は、フラッシュメモリ２０３に記録されたプログラムを、ＣＰＵ２０１が備えるＲＡＭにロードして実行する。この場合、ネットワーク２またはインターネットに接続された他のコンピューターが、フラッシュメモリ２０３に記憶されたプログラムを書換える、または、新たなプログラムを追加して書き込むようにしてもよい。さらに、ＨＭＤ２００が、ネットワーク２またはインターネットに接続された他のコンピューターからプログラムをダウンロードして、そのプログラムをフラッシュメモリ２０３に記憶するようにしてもよい。ここでいうプログラムは、ＣＰＵ２０１が直接実行可能なプログラムだけでなく、ソースプログラム、圧縮処理されたプログラム、暗号化されたプログラム等を含む。
【００６０】
操作部２０６は、マイクロホンを含み、ユーザーが発声する音声をマイクロホンで集音し、収音された音声を認識することにより、ユーザーによる指示を受け付ける。例えば、複数の操作それぞれに対応するコマンドの名称を定めておき、音声を認識して得られる文字情報と同じコマンドの名称が存在すれば、そのコマンドの名称に対応するコマンドの実行を指示する操作を受け付ける。また、音声認識により得られる文字情報を、入力された値、例えば、文字列、数列として受け付ける。また、操作部２０６は、ユーザーの視線を検出する視線検出センサーを含み、視線検出センサーによって検出された視線と表示部２０４に表示された画像とから、表示された画像中でユーザーが視認している部分を特定することにより、処理対象部分を特定する操作を受け付ける。例えば、表示部２０４に許可を受け付けるためのボタンの画像を表示し、視線検出センサーにより検出された視線がボタンの画像中の位置ならば、ユーザーが許可を受け付けるためのボタンを指示する操作を受け付ける。
【００６１】
図５は、ＭＦＰが備えるＣＰＵが有する機能の一例を示す図である。図５に示す機能は、ＭＦＰ１００が備えるＣＰＵ１１１がＲＯＭ１１３、ＨＤＤ１１５またはＣＤ−ＲＯＭ１１７Ａに記憶された設定プログラムおよびアプリケーションプログラムを実行することにより、ＣＰＵ１１１に形成される機能である。なお、図５に示すＣＰＵ１１１の各機能は、入力に対して予め定められた処理を実行し、処理結果を出力する。このため、ＣＰＵ１１１の各機能は、リレー等を用いた電子回路で実現することができる。
【００６２】
図５を参照して、ＣＰＵ１１１は、ＨＭＤ２００から画像データを受信する画像データ受信部５１と、特徴決定部５３と、設定情報決定部５５と、部位決定部５７と、センサー制御部５９と、操作受付部６１と、表示部１６１を制御する表示制御部６３と、設定部６５と、アプリケーション実行部６７と、警告部６９と、を含む。
【００６３】
アプリケーション実行部６７は、ユーザーが、操作部１６３を操作して、アプリケーションプログラムを指定し、実行を指示すれば、ＣＰＵ１１１がアプリケーションプログラムを実行する。アプリケーション実行部６７は、ＣＰＵ１１１がアプリケーションプログラムを実行するタスクである。アプリケーション実行部６７は、表示制御部６３に画面を出力する。アプリケーション実行部６７が実行するアプリケーションプログラムは、ＭＦＰ１００が備えるハードウェア資源を制御するための制御プログラムを含む。
【００６４】
表示制御部６３は、表示部１６１を制御し、アプリケーション実行部６７から画面が入力されることに応じて、その画面を表示部１６１に表示する。
【００６５】
画像データ受信部５１は、近距離通信部１１９および／または通信Ｉ／Ｆ部１１２を制御して、ＨＭＤ２００との間で通信経路を確立し、ＨＭＤ２００から画像データを受信する。ＨＭＤ２００の詳細は、後述するが、ＨＭＤ２００は、ＭＦＰ１００との間で通信経路を確立すると、カメラ２０２で撮像して得られる画像データをＭＦＰ１００に送信する。ＨＭＤ２００が送信する画像データは、被写体を撮像して得られる動画像である。なお、動画像は、所定の時間間隔で撮像される静止画像であってもよい。所定の時間間隔は、２つの画像の違いからユーザーの動きを検出できる間隔であればよい。
【００６６】
画像データ受信部５１は、例えば、近距離通信部１１９または通信Ｉ／Ｆ部１１２がＨＭＤ２００と通信可能になると、近距離通信部１１９または通信Ｉ／Ｆ部１１２を介してＨＭＤ２００から画像データを受信する。また、画像データ受信部５１は、近距離通信部１１９がＨＭＤ２００と通信可能になるとＨＭＤ２００とネゴシエーションすることによって、通信Ｉ／Ｆ部１１２を介してＨＭＤ２００と通信するための設定をし、通信Ｉ／Ｆ部１１２を制御して、ＨＭＤ２００との間の通信経路を確立する。そして、画像データ受信部５１は、通信Ｉ／Ｆ部１１２を介してＨＭＤ２００から画像データを受信する。画像データ受信部５１は、ＨＭＤ２００から受信される画像データを、特徴決定部５３および部位決定部５７に出力する。
【００６７】
センサー制御部５９は、センサー部１１８を制御し、センサー部１１８が備える複数のセンサーのうち事象を検出したセンサーを識別するためのセンサー識別情報を部位決定部５７に出力する。具体的には、センサー部１１８が備える原稿検出センサーは、自動原稿搬送装置１２０に載置された原稿を検出する場合、自動原稿搬送装置１２０に原稿が載置された事象を検出する。センサー制御部５９は、原稿検出センサーが自動原稿搬送装置１２０に原稿が載置された事象を検出することに応じて、原稿検出センサーを識別するためのセンサー識別情報を、部位決定部５７に出力する。また、センサー部１１８が備える用紙検出センサーは、手差し給紙トレイ１５０Ａに載置された用紙を検出する場合、手差し給紙トレイ１５０Ａに用紙が載置された事象を検出する。センサー制御部５９は、用紙検出センサーが手差し給紙トレイ１５０Ａに用紙が載置された事象を検出することに応じて、用紙検出センサーを識別するためのセンサー識別情報を、部位決定部５７に出力する。
【００６８】
部位決定部５７は、センサー制御部５９からセンサー識別情報が入力されることに応じて、そのセンサー識別情報で特定されるセンサーが配置されている部位を記録媒体が載置された部位に決定する。部位決定部５７は、決定した部位を識別するための部位識別情報を設定情報決定部５５に出力する。具体的には、部位決定部５７は、原稿検出センサーを識別するためのセンサー識別情報が入力される場合、ＭＦＰ１００の自動原稿搬送装置１２０を、原稿が載置された部位に決定する。部位決定部５７は、センサー制御部５９から用紙検出センサーを識別するためのセンサー識別情報が入力される場合、ＭＦＰ１００の手差し給紙トレイ１５０Ａを、用紙が載置された部位に決定する。
【００６９】
特徴決定部５３は、画像データ受信部５１から入力される画像データの画像を解析して、記録媒体の物理的な特徴を決定する。特徴決定部５３は、記録媒体の物理的な特徴を示す特徴情報を、設定情報決定部５５に出力する。記録媒体の物理的特徴は、記録媒体のサイズ、記録媒体の方向、記録媒体の形状、記録媒体に形成された画像の有無、記録媒体に形成された画像の種類の少なくとも１つである。
【００７０】
具体的には、特徴決定部５３は、画像データの画像から記録媒体の画像を抽出する。特徴決定部５３は、画像データ受信部５１から異なる時刻に入力される２以上の画像データそれぞれの画像から静止部分と動物体部分とを区別し、動物体部分を記録媒体の画像を含む部分として抽出する。静止部分は、２つの画像間で同じ部分である。また、ＨＭＤ２００は、ユーザーが装着するため、カメラ２０２の光軸が移動する場合がある。このため、画像データ受信部５１から異なる時刻に入力される２つの画像データ間で同一または類似する特徴点を複数抽出し、抽出した複数の特徴点が２つの画像で重なるように２つの画像を上下左右に移動させれば、カメラ２０２の光軸が移動することによる画像のずれを補正することができる。ここでは、記録媒体を原稿または用紙としており、ユーザーが記録媒体を手に持っている状態を想定している。このため、画像データの画像から動物体部分を抽出するのとは別に、または、これに加えて、画像データの画像からユーザーの手または指の部分を、指の肌の色または爪などの形状の特徴から抽出し、抽出された指の部分と重なる領域を記録媒体の画像の部分として抽出するようにしてもよい。また、原稿または用紙それぞれの形状および色は予め判っているので、原稿または用紙それぞれに対して予め定められた形状または色から記録媒体の画像の部分を抽出するようにしてもよい。例えば、原稿の背景部分や用紙の色は白色であることが多いので、画像データの画像中で白色の部分を記録媒体の画像の部分として抽出するようにしてもよい。
【００７１】
特徴決定部５３は、抽出された記録媒体の画像と、画像中の記録媒体の画像以外の部分にＭＦＰ１００の一部の画像を抽出し、記録媒体の画像とＭＦＰ１００の一部の画像とに基づいて、記録媒体のサイズ、方向および形状を決定する。記録媒体とＭＦＰ１００の各部位それぞれの形状は予め判っているので、パターンマッチングを用いて、画像中の記録媒体の画像とＭＦＰ１００の一部の部位の画像を検出することができる。ＭＦＰ１００の一部の部位の画像のサイズと記録媒体の画像のサイズとの比を用いて、ＭＦＰ１００の一部の部位のサイズを基準にして記録媒体のサイズを決定する。また、ＭＦＰ１００の一部の部位の画像と記録媒体の画像との相対的な位置から、ＭＦＰ１００の一部の部分に対する記録媒体の方向を決定する。さらに、記録媒体の形状が封筒の場合には、耳部分がある場合には、矩形と異なるので、記録媒体の形状が耳部分を有する封筒に決定する。
【００７２】
具体的には、ＨＭＤ２００を装着したユーザーがＭＦＰ１００を操作する場合、ＭＦＰ１００が、ＨＭＤ２００が備えるカメラ２０２の被写体となる。さらに、ユーザーが原稿をＭＦＰ１００に読み取らせる場合には、原稿および自動原稿搬送装置１２０が、ＨＭＤ２００が備えるカメラ２０２の被写体となる。この場合、画像データの画像は、原稿の画像と、自動原稿搬送装置１２０の画像とを含む。特徴決定部５３は、原稿の画像と、自動原稿搬送装置１２０の画像とを抽出し、原稿の画像と自動原稿搬送装置１２０の画像とに基づいて、原稿のサイズおよび方向を決定する。原稿と自動原稿搬送装置１２０それぞれの形状は予め判っているので、パターンマッチングを用いて、画像中の原稿の画像と自動原稿搬送装置１２０の画像を検出することができる。自動原稿搬送装置１２０の画像のサイズと原稿の画像のサイズとの比を用いて、自動原稿搬送装置１２０のサイズを基準にして記録媒体のサイズを決定する。また、自動原稿搬送装置１２０の画像と原稿の画像との相対的な位置から、自動原稿搬送装置１２０に対する原稿の方向を決定する。原稿の方向は、自動原稿搬送装置１２０が原稿を搬送する搬送経路に対して原稿の長手方向が垂直となる「縦方向」と、自動原稿搬送装置１２０の搬送経路に対して原稿の短手方向が垂直となる「横方向」と、の何れであるかを決定する。
【００７３】
また、ユーザーが手差し給紙トレイ１５０Ａに用紙を載置する場合には、手差し給紙トレイ１５０Ａおよび用紙が、ＨＭＤ２００が備えるカメラ２０２の被写体となる。用紙は、コピー用の紙、はがき、封筒を含む。この場合、画像データの画像は、用紙の画像と、手差し給紙トレイ１５０Ａの画像とを含む。特徴決定部５３は、用紙の画像と、手差し給紙トレイ１５０Ａの画像とを抽出し、用紙の画像と手差し給紙トレイ１５０Ａの画像とに基づいて、用紙のサイズおよび方向を決定する。用紙と手差し給紙トレイ１５０Ａそれぞれの形状は予め判っているので、パターンマッチングを用いて、画像中の用紙の画像と手差し給紙トレイ１５０Ａの画像を検出することができる。手差し給紙トレイ１５０Ａの画像のサイズと用紙の画像のサイズとの比を用いて、手差し給紙トレイ１５０Ａのサイズを基準にして用紙のサイズを決定する。また、手差し給紙トレイ１５０Ａの画像と用紙の画像との相対的な位置から、手差し給紙トレイ１５０Ａに対する用紙の方向を決定する。用紙の方向は、手差し給紙トレイ１５０Ａが用紙を搬送する搬送経路に対して用紙の長手方向が垂直となる「縦方向」と、手差し給紙トレイ１５０Ａの搬送経路に対して用紙の短手方向が垂直となる「横方向」と、のいずれであるかを決定する。
【００７４】
さらに、特徴決定部５３は、用紙の画像から、用紙の画像の形状が矩形か、矩形でないかを決定する。用紙が封筒の場合に、封筒が耳部分を有する場合がある。この場合には、用紙の形状を矩形でない形状に決定する。
【００７５】
特徴決定部５３は、画像から抽出された記録媒体の画像に基づいて、記録媒体に形成された画像の有無を決定する。画像から抽出された記録媒体の画像が無地ならば画像が形成されていないと判断し、画像から抽出された記録媒体の画像が無地でなければ画像が形成されていると判断する。特徴決定部５３は、画像データ受信部５１から異なる時刻に入力される画像データそれぞれから抽出された記録媒体の画像に基づいて、記録媒体の両面の双方について、記録媒体に形成された画像の有無を決定する。特徴決定部５３は、記録媒体の両面の双方について画像の有無を決定できない場合がある。例えば、記録媒体の片面の画像のみしか得られない場合である。この場合には、特徴決定部５３は、記録媒体に形成された画像の有無を決定しない。
【００７６】
さらに、特徴決定部５３は、画像から抽出された記録媒体の画像に基づいて、記録媒体に形成された画像の種類を決定する。画像の種類は、画像の属性および色の数を含む。画像の属性は、文字が表された文字属性、写真が表された写真属性、図形が表された図形属性を含む。画像が、文字属性、写真属性、図形属性の何れであるかを判断する方法は、周知な方法を用いればよい。例えば、画像の階調変化から属性を検出する方法、画像の周波数特性から属性を検出する方法を用いることができる。また、特徴決定部５３は、記録媒体に形成された画像に含まれる色の数をカウントする。
【００７７】
設定情報決定部５５は、部位決定部５７から部位識別情報が入力され、特徴決定部５３から特徴情報が入力される。部位決定部５７から入力される部位識別情報は、記録媒体が載置された部位を識別する情報である。特徴決定部５３から入力される特徴情報は、記録媒体の物理的な特徴を示す情報である。設定情報決定部５５は、部位識別情報で特定される部位に基づいて記録媒体の種類を決定し、記録媒体の種類と特徴情報とに基づいて設定情報を決定する。設定情報は、設定部６５が設定可能な設定項目に設定する設定値の候補値を示し、設定項目の設定項目名と、候補値と、を含む。設定情報決定部５５は、設定情報を決定すると、設定情報を設定部６５および警告部６９に出力する。
【００７８】
設定情報決定部５５は、部位識別情報で特定される部位が自動原稿搬送装置１２０の場合、記録媒体の種類を原稿に決定し、部位識別情報で特定される部位が手差し給紙トレイ１５０Ａの場合、記録媒体の種類を用紙に決定する。
【００７９】
＜原稿の場合＞
設定情報決定部５５は、記録媒体の種類を原稿に決定する場合、特徴情報に基づいて、設定項目名に対応する候補値を決定する。設定項目名は、限定するものではないが、ここでは、設定項目名が「原稿サイズ」、「原稿方向」、「読取面」、「読取モード」、「画像属性」とする場合を例に説明する。設定項目名「原稿サイズ」の設定項目は、設定値として原稿のサイズが設定される。設定値は、例えば、Ａ４，Ａ３，Ｂ４、Ｂ５、はがき等、予め定められたサイズである。設定項目名「原稿方向」の設定項目は、設定値として原稿を読み取る読取方向が設定される。設定値となる原稿の読取方向は、原稿の長手方向が原稿の搬送経路に垂直となる設定値「縦方向」と、原稿の短手方向が原稿の搬送経路に垂直となる設定値「横方向」とのいずれかである。設定項目名「読取面」の設定項目は、設定値として原稿に形成された画像を読み取る面が設定される。設定値は、原稿の片面を読みとる設定値「片面」と、原稿の両面を読み取る設定値「両面」とのいずれかである。設定項目名「読取モード」の設定項目は、設定値として原稿に形成された画像をモノクロまたはカラーの何れのモードで読み取るかを定める設定値が設定される。設定値は、画像をモノクロのモードで読み取る設定値「モノクロ」と、画像をカラーのモードで読み取る設定値「カラー」のいずれかである。設定項目名「画像属性」の設定項目は、設定値として原稿に形成された画像の属性を定める設定値が設定される。設定値は、画像が文字属性であることを示す設定値「文字」と、画像が写真属性であることを示す設定値「写真」と、画像が図形属性であることを示す設定値「図形」と、のいずれかである。
【００８０】
設定情報決定部５５は、特徴情報に基づいて、設定項目名が「原稿サイズ」、「原稿方向」、「読取面」、「読取モード」、「画像属性」それぞれの設定項目に設定する候補値を決定する。具体的には、設定情報決定部５５は、特徴情報が記録媒体のサイズを含む場合には、設定項目名「原稿サイズ」の設定項目に設定可能な設定値として予め定められたサイズであるＡ４，Ａ３，Ｂ４、Ｂ５、はがきのうちから記録媒体のサイズに最も近いサイズを決定し、決定したサイズを、設定項目名「原稿サイズ」の設定項目に対応する候補値に決定する。
【００８１】
また、設定情報決定部５５は、特徴情報が記録媒体の方向を含む場合には、記録媒体の方向が「縦方向」ならば、設定項目名「原稿方向」の設定項目に対応する候補値に「縦方向」を決定し、記録媒体の方向が「横方向」ならば、設定項目名「原稿方向」の設定項目に対応する候補値に「横方向」を決定する。
【００８２】
また、設定情報決定部５５は、特徴情報が記録媒体の両面に画像が形成されていることを示す場合、設定項目名「読取面」の設定項目に対応する候補値に「両面」を決定する。特徴情報が記録媒体の片面に画像が形成されていることを示す場合、設定項目名「読取面」の設定項目に対応する候補値に「片面」を決定する。設定情報決定部５５は、特徴情報が記録媒体の両面に画像が形成されていること、および、記録媒体の片面に画像が形成されていること、のいずれも示さない場合、設定項目名「読取面」の設定項目に対応する候補値を決定しない。
【００８３】
また、設定情報決定部５５は、特徴情報が記録媒体に形成された画像の種類を含む場合であって、画像の種類として色数を含む場合、色数が２以上ならば、設定項目名「読取モード」の設定項目に対応する候補値に「カラー」を決定し、色数が単数ならば、設定項目名「読取モード」の設定項目に対応する候補値に「モノクロ」を決定する。
【００８４】
また、設定情報決定部５５は、特徴情報が記録媒体に形成された画像の種類を含む場合であって、画像の属性を含む場合、画像の属性が文字属性ならば、設定項目名「画像属性」の設定項目に対応する候補値に「文字」を決定し、画像の属性が写真属性ならば、設定項目名「画像属性」の設定項目に対応する候補値に「写真」を決定し、画像の属性が図形属性ならば、設定項目名「画像属性」の設定項目に対応する候補値に「図形」を決定する。
【００８５】
＜用紙の場合＞
設定情報決定部５５は、記録媒体の種類を用紙に決定する場合、特徴情報に基づいて、設定項目名に対応する候補値を決定する。設定項目名は、限定するものではないが、ここでは、設定項目名が「用紙サイズ」、「用紙方向」、「用紙種類」とする場合を例に説明する。設定項目名「用紙サイズ」の設定項目は、設定値として用紙のサイズが設定される。設定値は、例えば、Ａ４，Ａ３，Ｂ４、Ｂ５、はがき等、予め定められたサイズである。設定項目名「用紙方向」の設定項目は、設定値として用紙の搬送方向が設定される。設定値となる用紙の搬送方向は、用紙の長手方向が用紙の搬送経路に垂直となる設定値「縦方向」と、用紙の短手方向が用紙の搬送経路に垂直となる設定値「横方向」とのいずれかである。設定項目名「用紙種類」の設定項目は、設定値として用紙に耳の有無が設定される。設定値は、用紙が耳を有する場合の設定値「有」と、用紙が耳を有しない場合の設定値「無」とのいずれかである。
【００８６】
設定情報決定部５５は、特徴情報に基づいて、設定項目名が「用紙サイズ」、「用紙方向」、「用紙種類」それぞれの設定項目に設定する候補値を決定する。具体的には、設定情報決定部５５は、特徴情報が記録媒体のサイズを含む場合には、設定項目名「用紙サイズ」の設定項目に設定可能な設定値として予め定められたサイズであるＡ４，Ａ３，Ｂ４、Ｂ５、はがきのうちから記録媒体のサイズに最も近いサイズを決定し、決定したサイズを、設定項目名「原稿サイズ」の設定項目に対応する候補値に決定する。
【００８７】
また、設定情報決定部５５は、特徴情報が記録媒体の方向を含む場合には、記録媒体の方向が「縦方向」ならば、設定項目名「用紙サイズ」の設定項目に対応する候補値に「縦方向」を決定し、記録媒体の方向が「横方向」ならば、設定項目名「用紙サイズ」の設定項目に対応する候補値に「横方向」を決定する。
【００８８】
また、設定情報決定部５５は、特徴情報が記録媒体の耳の有を示す場合、設定項目名「用紙種類」の設定項目に対応する候補値に「有」を決定する。特徴情報が記録媒体の耳が無いことを示す場合、設定項目名「用紙種類」の設定項目に対応する候補値に「無」を決定する。
【００８９】
操作受付部６１は、ユーザーが操作部１６３に入力する操作を受け付ける。操作受付部６１は、操作部１６３が受け付けた操作に対応する操作情報を設定部６５に出力する。操作部１６３によって受け付けられる操作は、複数種類あるが、ここでは、設定項目に設定値を設定する設定操作を受け付ける場合を例に説明する。設定操作に対応する操作情報は、設定項目名と設定値とを含む。なお、ＭＦＰ１００がＨＭＤ２００によって遠隔操作される場合、操作受付部６１は、表示制御部６３から入力される画面を、ＨＭＤ２００に送信し、ＨＭＤ２００が返信する遠隔操作コマンドを受信する。操作受付部６１は、遠隔操作コマンドを受信すると、遠隔操作コマンドに対応する設定操作の操作情報を設定部６５に出力する。
【００９０】
設定部６５は、複数の設定項目それぞれに設定値を設定する。複数の設定項目それぞれには、予め定められたデフォルトの設定値が設定されている。設定部６５は、設定情報決定部５５から設定情報が入力されると、設定情報に含まれる設定項目名の設定項目に設定されている値を、設定情報に含まれる候補値で変更する。設定部６５は、操作受付部６１から操作情報が入力されると、操作情報に含まれる設定項目名の設定項目に設定されている値を、操作情報に含まれる値で変更する。
【００９１】
警告部６９は、設定情報決定部５５から設定情報が入力され、設定部６５は、操作受付部６１から設定操作の操作情報が入力される。警告部６９は、操作情報に含まれる設定項目名の設定項目の値を、設定情報に含まれる同じ設定項目名の候補値と比較し、２つの値が異なる場合に、ユーザーに警告する。警告は、警告音を発生するようにしてもよいし、警告メッセージを表示部１６１に表示するようにしてもよい。また、警告メッセージを音声で出力するようにしてもよい。警告メッセージは、ユーザーにより入力された設定値の確認を求める文章であるのが好ましい。
【００９２】
警告部６９が警告する場合は、設定情報決定部５５から入力される設定情報に基づいて設定値が設定された後に、ユーザーにより入力される設定操作に従って設定値が変更される場合である。換言すれば、警告部６９が警告する場合は、ユーザーによる設定と、自動原稿搬送装置１２０に載置された原稿の状態、または手差し給紙トレイ１５０Ａに載置された用紙の状態とが整合しない場合である。この場合には、原稿または用紙を正しく載置し直すか、設定値を変更する必要がある。
【００９３】
図６は、本実施の形態におけるＨＭＤが備えるＣＰＵが有する機能の一例を示すブロック図である。図６に示す機能は、ＨＭＤ２００が備えるＣＰＵ２０１が、フラッシュメモリ２０３に記憶された遠隔操作プログラムを実行することにより、ＣＰＵ２０１に形成される機能である。図６を参照して、ＨＭＤ２００が備えるＣＰＵ２０１は、撮像制御部２５１と、画像データ送信部２５３と、通信制御部２５５と、を含む。
【００９４】
撮像制御部２５１は、カメラ２０２を制御し、カメラ２０２が被写体を撮像して出力する画像データを取得する。撮像制御部２５１は、操作部２０６がユーザーによる撮像指示を受け付けると、カメラ２０２に被写体を撮像させる。撮像制御部２５１は、カメラ２０２が出力する画像データを画像データ送信部２５３に出力する。
【００９５】
通信制御部２５５は、近距離通信部２０７がＭＦＰ１００と通信可能になるとＭＦＰ１００とネゴシエーションすることによって、通信Ｉ／Ｆ部２０５を介してＭＦＰ１００と通信するための設定をし、通信Ｉ／Ｆ部２０５を制御して、ＭＦＰ１００との間の通信経路を確立する。通信制御部２５５は、ＭＦＰ１００との間で通信経路を確立すると、通信経路を識別するための経路識別情報を画像データ送信部２５３に出力する。また、通信制御部２５５は、近距離通信部２０７または通信Ｉ／Ｆ部２０５を制御して、ＭＦＰ１００との間で通信経路を確立するようにしてもよい。
【００９６】
画像データ送信部２５３は、通信制御部２５５から経路識別情報が入力されると、通信Ｉ／Ｆ部２０５を制御して、撮像制御部２５１から入力される画像データをＭＦＰ１００に送信する。
【００９７】
図７は、第１の実施の形態における設定処理の流れの一例を示すフローチャートである。設定処理は、ＭＦＰ１００が備えるＣＰＵ１１１が設定プログラムを実行することにより、ＣＰＵ１１１により実行される処理である。図７を参照して、ＭＦＰ１００が備えるＣＰＵ１１１は、ＨＭＤ２００を検出したか否かを判断する（ステップＳ０１）。ＨＭＤ２００を検出したならば処理をステップＳ０２に進めるが、そうでなければ処理をステップＳ０４に進める。近距離通信部１１９が、ＨＭＤ２００と通信可能になるとＨＭＤ２００を検出する。ステップＳ０２においては、通信Ｉ／Ｆ部１１２を制御して、ＨＭＤ２００との間で通信経路を確立し、処理をステップＳ０３に進める。
【００９８】
ステップＳ０３においては、ＨＭＤ２００から画像データの受信を開始し、処理をステップＳ０４に進める。具体的には、ＣＰＵ１１１は、通信Ｉ／Ｆ部１１２を制御して、ステップＳ０２において確立された通信経路を介して、ＨＭＤ２００が送信する画像データを受信する。
【００９９】
次のステップＳ０４においては、原稿検出センサーがＯＮになったか否かを判断する。自動原稿搬送装置１２０に配置された原稿検出センサーがＯＮになったならば処理をステップＳ０５に進めるが、そうでなければ処理をステップＳ０８に進める。ステップＳ０５においては、特徴決定処理を実行し、処理をステップＳ０６に進める。特徴決定処理の詳細は後述するが、ステップＳ０３において受信を開始し、ＨＭＤ２００から受信中の画像データに基づいて、記録媒体の物理的な特徴を決定する処理である。
【０１００】
ステップＳ０６においては、原稿用設定情報決定処理を実行し、処理をステップＳ０７に進める。原稿用設定情報決定処理の詳細は後述するが、ステップＳ０５において決定された特徴情報を、原稿の物理特徴として設定項目に設定する候補値を決定する処理である。設定情報は、設定項目名と候補値とを含む。
【０１０１】
次のステップＳ０７においては、設定情報に従って設定値を設定し、処理をステップＳ０８に進める。設定情報に含まれる設定項目名の設定項目に、設定情報に含まれる候補値を、設定値として設定する。
【０１０２】
ステップＳ０８においては、用紙検出センサーがＯＮになったか否かを判断する。手差し給紙トレイ１５０Ａに配置された用紙検出センサーがＯＮになったならば処理をステップＳ０９に進めるが、そうでなければ処理をステップＳ１２に進める。ステップＳ０９においては、ステップＳ０５と同様に、特徴情報決定処理を実行し、処理をステップＳ１０に進める。ステップＳ１０においては、設定情報決定処理を実行し、処理をステップＳ１１に進める。設定情報決定処理の詳細は後述するが、ステップＳ０９において決定された記録媒体の物理的特徴を、原稿の物理特徴として設定情報を決定する処理である。設定情報は、設定項目名と候補値とを含む。ステップＳ１１においては、設定情報に従って設定値を設定し、処理をステップＳ１２に進める。設定情報に含まれる設定項目名の設定項目に、設定情報に含まれる候補値を、設定値として設定する。
【０１０３】
ステップＳ１２においては、ユーザーによる操作を受け付けたか否かを判断する。操作部１６３がユーザーによる操作が入力されたことを検出すると、ユーザーによる操作を受け付ける。ユーザーによる操作を受け付けたならば処理をステップＳ１３に進めるが、そうでなければ処理をステップＳ０１に戻す。なお、ＭＦＰ１００が、通信経路が確立されたＨＭＤ２００によって遠隔操作される場合には、ＨＭＤ２００から遠隔操作コマンドを受信する場合に、ユーザーによる操作を受け付けたと判断する。
【０１０４】
ステップＳ１３においては、受け付けられた操作によって、処理を分岐させる。ここでは、ユーザーによる入力される操作を、表示部１６１に表示されている画面に基づいて、設定値を設定する設定操作、処理の実行を指示する実行指示操作としている。ステップＳ１２において受け付けられた操作が、実行指示操作ならば処理をステップＳ１４に進め、
設定操作ならば処理をステップＳ１５に進める。ステップＳ１４においては、実行指示操作に従って処理を実行し、処理を終了する。
【０１０５】
ステップＳ１５においては、設定操作により定まる設定項目に設定する設定値が、設定情報に基づいて変更されているか否かを判断する。ステップＳ０６またはステップＳ１０において、設定情報に基づいて変更されている場合がある。設定値が設定情報に基づいて変更されているならば処理をステップＳ１６に進めるが、そうでなければ処理をステップＳ１９に進める。
【０１０６】
ステップＳ１６においては、設定操作により定まる設定項目に設定する設定値が、ステップＳ０６またはステップＳ１０において決定された設定情報により定まる設定値と同じか否かを判断する。設定情報は、設定項目と候補値とを含む。両者が同じならば処理をステップＳ１２に戻すが、そうでなければ処理をステップＳ１７に進める。
【０１０７】
ステップＳ１７においては、ユーザーに警告し、処理をステップＳ１８に進める。警告は、警告音を発生するようにしてもよいし、警告メッセージを表示部１６１に表示するようにしてもよい。また、警告メッセージを音声で出力するようにしてもよい。警告メッセージは、ユーザーにより入力された設定値の確認を求める文章であるのが好ましい。
【０１０８】
ステップＳ１８においては、変更指示を受け付けたか否かを判断する。操作部１６３がユーザーによる変更指示を受け付けたならば処理をステップＳ１９に進めるが、そうでなければ処理をステップＳ１２に戻す。
【０１０９】
ステップＳ１９においては、表示部１６１に表示されている画面に含まれる設定項目に、設定操作により定まる設定値を設定し、処理をステップＳ１２に戻す。
【０１１０】
図８は、特徴決定処理の流れの一例を示すフローチャートである。特徴決定処理は、図７のステップＳ０５またはステップＳ０９において実行される処理である。特徴決定処理が実行される前の段階で、ＨＭＤ２００から画像データの受信が開始されている。ステップＳ２１においては、ＨＭＤ２００から受信される画像データの画像から記録媒体の画像を抽出する。次のステップＳ２２においては、ＨＭＤ２００から受信される画像データの画像からＭＦＰ１００の部位の画像を抽出する。画像中の記録媒体の画像以外の部分にＭＦＰ１００の一部の画像を抽出する。例えば、ＭＦＰ１００の自動原稿搬送装置１２０の画像、または、手差し給紙トレイ１５０Ａの画像を抽出する。
【０１１１】
次のステップＳ２３においては、記録媒体のサイズを決定する。具体的には、記録媒体の画像とＭＦＰ１００の部位の画像とに基づいて、記録媒体のサイズを決定する。ＭＦＰ１００の部位の画像のサイズと記録媒体の画像のサイズとの比を用いて、ＭＦＰ１００の部位のサイズを基準にして記録媒体のサイズを決定する。
【０１１２】
次のステップＳ２４においては、画像中の記録媒体の画像が停止したか否かを判断する。画像中で記録媒体の画像が停止するまで待機状態となり（ステップＳ２４でＮＯ）、記録媒体の画像が停止したならば（ステップＳ２４でＹＥＳ）、処理をステップＳ２５に進める。ステップＳ２５においては、記録媒体の方向を決定する。記録媒体の画像が停止したと判断された後にＨＭＤ２００から受信される画像データの画像からＭＦＰ１００の部位の画像と記録媒体の画像とを抽出し、それらの相対的な位置から、ＭＦＰ１００の部位に対する記録媒体の方向を決定する。
【０１１３】
次のステップＳ２６においては、記録媒体の画像中に画像を含むか否かを判断する。記録媒体の画像が無地でなければ画像を含むと判断する。記録媒体の画像中に画像を含むならば処理をステップＳ２７に進めるが、そうでなければ処理をステップＳ３２に進める。ステップＳ２７においては、記録媒体の裏面の画像を抽出したか否かを判断する。記録媒体の裏面の画像を抽出したならば処理をステップＳ２８に進めるが、そうでなければ処理をステップＳ３１に進める。ステップＳ２８においては、記録媒体の裏面の画像中に画像を含むか否かを判断する。記録媒体の裏面の画像中に画像が含まれていれば処理をステップＳ２９に進めるが、そうでなければ処理をステップＳ３０に進める。ステップＳ２９においては、記録媒体の画像の有無を「両面に画像有」に設定し、処理をステップＳ３６に進める。ステップＳ３０においては、記録媒体の画像の有無を「片面に画像有」に設定し、処理をステップＳ３６に進める。ステップＳ３２においては、記録媒体の画像の有無を「不明」に設定し、処理をステップＳ３６に進める。
【０１１４】
ステップＳ３２においては、記録媒体の裏面の画像を抽出したか否かを判断する。記録媒体の裏面の画像を抽出したならば処理をステップＳ３３に進めるが、そうでなければ処理をステップＳ３５に進める。ステップＳ３３においては、記録媒体の裏面の画像中に画像を含むか否かを判断する。記録媒体の裏面の画像中に画像が含まれていれば処理をステップＳ３４に進めるが、そうでなければ処理をステップＳ３５に進める。ステップＳ３４においては、記録媒体の画像の有無を「方面に画像有」に設定し、処理をステップＳ３６に進める。ステップＳ３５においては、記録媒体の画像の有無を「不明」に設定し、処理をステップＳ３６に進める。
【０１１５】
ステップＳ３６においては、記録媒体の画像中に含まれる画像の属性を決定し、処理をステップＳ３７に進める。画像の属性は、文字属性、写真属性および図形属性である。次のステップＳ３７においては、記録媒体の画像に含まれる色の数をカウントし、処理をステップＳ３８に進める。ステップＳ３８においては、記録媒体の形状が矩形か否かを判断する。記録媒体の形状が矩形ならば処理を設定処理に戻すが、そうでなければ処理をステップＳ３９に進める。ステップＳ３９においては、記録媒体の形状を「耳有」に設定し、処理を設定処理に戻す。
【０１１６】
図９は、原稿用設定情報決定処理の流れの一例を示すフローチャートである。原稿用設定情報決定処理は、図７のステップＳ０６において実行される処理である。原稿用設定情報決定処理が実行される前の段階で、記録媒体の特徴が決定されている。原稿用設定情報決定処理は、記録媒体を原稿とし、原稿の特徴に基づいて候補値を決定する処理である。図９を参照して、設定項目名「原稿サイズ」の設定項目に対応する候補値に、原稿の特徴に含まれる記録媒体のサイズを設定する（ステップＳ４１）。次のステップＳ４２においては、原稿の特徴に含まれる記録媒体の方向に基づいて処理を分岐させる。記録媒体の方向が縦方向ならば処理をステップＳ４３に進めるが、そうでなければ処理をステップＳ４４に進める。ステップＳ４３においては、設定項目名「原稿方向」の設定項目に対応する候補値に「縦方向」を設定し、処理をステップＳ４５に進める。ステップＳ４４においては、設定項目名「原稿方向」の設定項目に対応する候補値に「横方向」を設定し、処理をステップＳ４５に進める。
【０１１７】
ステップＳ４５においては、原稿の特徴に含まれる画像の有無に基づいて処理を分岐させる。原稿の特徴が「両面に画像有」を含む場合、処理をステップＳ４６に進め、原稿の特徴が「片面に画像有」を含む場合、処理をステップＳ４７に進め、原稿特徴が「不明」を含む場合、処理をステップＳ４８に進める。ステップＳ４６においては、設定項目名「読取面」の設定項目に対応する候補値に「両面」を設定し、処理をステップＳ４８に進める。ステップＳ４７においては、設定項目名「読取面」の設定項目に対応する候補値に「片面」を設定し、処理をステップＳ４８に進める。
【０１１８】
ステップＳ４８においては、原稿の特徴に含まれる色数が複数か否かを判断する。色数が複数ならば処理をステップＳ４９に進めるが、そうでなければ処理をステップＳ５０に進める。ステップＳ４９においては、設定項目名「読取モード」に対応する候補値に「カラー」を設定し、処理をステップＳ５１に進める。ステップＳ５０においては、設定項目名「読取モード」に対応する候補値に「モノクロ」を設定し、処理をステップＳ５１に進める。
【０１１９】
ステップＳ５１においては、原稿の特徴に含まれる画像属性によって処理を分岐させる。画像属性が文字領域ならば処理をステップＳ５２に進め、画像属性が写真領域ならば処理をステップＳ５３に進め、画像属性が付領域ならば処理をステップＳ５４に進める。ステップＳ５２においては、設定項目名「画像属性」に対応する候補値に「文字」を設定し、処理を設定処理に戻す。ステップＳ５３においては、設定項目名「画像属性」に対応する候補値に「写真」を設定し、処理を設定処理に戻す。ステップＳ５４においては、設定項目名「画像属性」に対応する候補値に「図形」を設定し、処理を設定処理に戻す。
【０１２０】
図１０は、用紙用設定情報決定処理の流れの一例を示すフローチャートである。用紙用設定情報決定処理は、図７のステップＳ１０において実行される処理である。用紙用設定情報決定処理が実行される前の段階で、記録媒体の特徴が決定されている。用紙用設定情報決定処理は、記録媒体を用紙とし、原稿の特徴に基づいて候補値を決定する処理である。図１０を参照して、設定項目名「用紙サイズ」の設定項目に対応する候補値に、用紙の特徴に含まれる記録媒体のサイズを設定する（ステップＳ６１）。次のステップＳ６２においては、用紙の特徴に含まれる記録媒体の方向に基づいて処理を分岐させる。記録媒体の方向が縦方向ならば処理をステップＳ６３に進めるが、そうでなければ処理をステップＳ６４に進める。ステップＳ６３においては、設定項目名「用紙方向」の設定項目に対応する候補値に「縦方向」を設定し、処理をステップＳ６５に進める。ステップＳ６４においては、設定項目名「用紙方向」の設定項目に対応する候補値に「横方向」を設定し、処理をステップＳ６５に進める。
【０１２１】
ステップＳ６５においては、用紙の特徴に含まれる耳の有無に基づいて処理を分岐させる。原稿の特徴が「耳有」を含む場合、処理をステップＳ６６に進め、用紙の特徴が「耳無」を含む場合、処理をステップＳ６７に進める。ステップＳ６６においては、設定項目名「用紙種類」の設定項目に対応する候補値に「耳有」を設定し、処理を設定処理に戻す。ステップＳ６７においては、設定項目名「用紙種類」の設定項目に対応する候補値に「耳無」を設定し、処理を設定処理に戻す。
【０１２２】
＜第１の変形例＞
図５を参照して、上述した実施の形態においては、部位決定部５７は、センサー制御部５９から入力されるセンサー識別情報に基づいて、記録媒体が載置された部位を決定するようにしたが、画像データ受信部５１から入力される画像データの画像を解析することによって、記録媒体が載置された部位を決定するようにしてもよい。この場合、センサー制御部５９は不要である。
【０１２３】
第１の変形例における部位決定部５７は、画像データ受信部５１から入力される画像データの画像を解析し、記録媒体が載置されたＭＦＰ１００の部位を決定する。第１の変形例における部位決定部５７は、決定した部位を識別するための部位識別情報を設定情報決定部５５に出力する。例えば、第１の変形例における部位決定部５７は、画像中に含まれる記録媒体の画像とＭＦＰ１００の画像との相対的な位置の変化を検出することにより記録媒体がＭＦＰ１００に対して移動する現象を検出する。記録媒体およびＭＦＰ１００の各部位それぞれの形状は予め判っているので、パターンマッチングを用いて、画像中の記録媒体の画像とＭＦＰ１００の一部の部位の画像を検出することができる。そして、第１の変形例における部位決定部５７は、記録媒体の画像とＭＦＰ１００の一部の部位の画像との相対的な位置の変化がなくなった時点に記録媒体の画像とＭＦＰ１００の一部の部位の画像とが重なる場合に、ＭＦＰ１００の一部の部位を特定する。
【０１２４】
より具体的には、ＨＭＤ２００を装着したユーザーがＭＦＰ１００を操作する場合、ＭＦＰ１００が、ＨＭＤ２００が備えるカメラ２０２の被写体となる。さらに、ユーザーが原稿をＭＦＰ１００に読み取らせる場合には、原稿および自動原稿搬送装置１２０が、ＨＭＤ２００が備えるカメラ２０２の被写体となる。この場合、画像データの画像は、原稿の画像と、自動原稿搬送装置１２０の画像とを含む。第１の変形例における部位決定部５７は、画像中に含まれる原稿の画像と自動原稿搬送装置１２０の画像との相対的な位置の変化を検出することにより原稿が自動原稿搬送装置１２０に対して移動する現象を検出する。そして、第１の変形例における部位決定部５７は、原稿の画像と自動原稿搬送装置１２０の画像との相対的な位置の変化がなくなった時点に原稿の画像と自動原稿搬送装置１２０の画像とが重なる場合に、ＭＦＰ１００の自動原稿搬送装置１２０を、原稿が載置された部位に決定する。
【０１２５】
また、ユーザーが手差し給紙トレイ１５０Ａに用紙を載置する場合には、手差し給紙トレイ１５０Ａおよび用紙が、ＨＭＤ２００が備えるカメラ２０２の被写体となる。この場合、画像データの画像は、用紙の画像と、手差し給紙トレイ１５０Ａの画像とを含む。第１の変形例における部位決定部５７は、画像中に含まれる用紙の画像と手差し給紙トレイ１５０Ａの画像との相対的な位置の変化を検出することにより用紙が手差し給紙トレイ１５０Ａに対して移動する現象を検出する。そして、第１の変形例における部位決定部５７は、用紙の画像と手差し給紙トレイ１５０Ａの画像との相対的な位置の変化がなくなった時点に用紙の画像と手差し給紙トレイ１５０Ａの画像とが重なる場合に、ＭＦＰ１００の手差し給紙トレイ１５０Ａを、原稿が載置された部位に決定する。
【０１２６】
＜第２の変形例＞
図５を参照して、第１の実施の形態におけるＭＦＰ１００は、設定情報決定部５５において設定情報が決定されると、設定部６５が設定情報に従って設定値を設定する。第２の変形例における設定部６５は、操作受付部６１から入力される設定操作の操作情報のみに従って、設定値を設定する。換言すれば、第２の変形例における設定部６５は、設定情報決定部５５によって決定された設定情報に従っては、設定値を設定しない。この場合、複数の設定項目にそれぞれ設定される設定値は、操作受付部６１から入力される設定操作の操作情報に従って設定された設定値となる場合と、デフォルトの設定値のままの場合とがある。
【０１２７】
第２の変形例における変形例における警告部６９は、ユーザーが処理の実行を指示する場合に、第２の変形例における設定部６５によって設定された複数の設定項目ごとに、その設定項目に設定される設定値を、設定情報に含まれる同じ設定項目名の候補値と比較し、２つの値が異なる場合に、ユーザーに警告する。例えば、第２の変形例における警告部６９は、操作部１６３が備えるスタートキーが指示される場合に、ユーザーによる処理の実行指示を検出する。候補値と異なる設定値が設定されている設定項目は、ユーザーによる設定操作によって変更された設定値が設定されている場合と、ユーザーによる設定操作によって変更されておらずデフォルトの値が設定されている場合と、がある。
【０１２８】
第２の変形例における警告部６９が警告する場合は、ユーザーによる設定操作によって変更された設定値が、自動原稿搬送装置１２０に載置された原稿の状態、または手差し給紙トレイ１５０Ａに載置された用紙の状態と整合しない場合と、ユーザーが設定操作をしなかったことによって、デフォルトの値のままの設定値が、自動原稿搬送装置１２０に載置された原稿の状態、または手差し給紙トレイ１５０Ａに載置された用紙の状態と整合しない場合とがある。この場合には、原稿または用紙を正しく載置し直すか、設定値を変更する必要がある。
【０１２９】
＜第２の実施の形態＞
第２の実施の形態における画像処理システム１は、第１の実施の形態における画像処理システム１におけるＭＦＰ１００が有する機能の一部を、ＨＭＤ２００が有するようにしたものである。以下、第２の実施の形態における画像処理システム１について、第１の実施の形態における画像処理システム１と異なる点を主に説明する。
【０１３０】
図１１は、第２の実施の形態におけるＭＦＰが備えるＣＰＵが有する機能の一例を示すブロック図である。図１１を参照して、図５に示した機能と異なる点は、画像データ受信部５１、特徴決定部５３、設定情報決定部５５、部位決定部５７が削除された点、通信制御部７１、設定情報受信部７３、センサー情報送信部７５が追加された点である。その他の機能は、図５に示した機能と同じなのでここでは説明を繰り返さない。
【０１３１】
通信制御部７１は、近距離通信部１１９および／または通信Ｉ／Ｆ部１１２を制御して、ＨＭＤ２００との間で通信経路を確立する。また、通信制御部７１は、近距離通信部１１９がＨＭＤ２００と通信可能になるとＨＭＤ２００とネゴシエーションすることによって、通信Ｉ／Ｆ部１１２を介してＨＭＤ２００と通信するための設定をし、通信Ｉ／Ｆ部１１２を制御して、ＨＭＤ２００との間の通信経路を確立する。通信制御部７１は、ＨＭＤ２００との間の通信経路を確立すると、その通信経路を識別するための経路識別情報を、設定情報受信部７３、センサー情報送信部７５に出力する。
【０１３２】
センサー情報送信部７５は、センサー制御部５９からセンサー識別情報が入力されることに応じて、通信Ｉ／Ｆ部１１２を制御して、センサー識別情報を通信制御部７１から入力される経路識別情報で特定される通信経路を介してＨＭＤ２００に送信する。
【０１３３】
設定情報受信部７３は、通信Ｉ／Ｆ部１１２を制御して、通信制御部７１から入力される経路識別情報で特定される通信経路を介して、ＨＭＤ２００から設定情報を受信する。設定情報受信部７３は、設定情報を、設定部６５および警告部６９に出力する。
【０１３４】
図１２は、第２の実施の形態におけるＨＭＤが備えるＣＰＵが有する機能の一例を示すブロック図である。図１２を参照して、図６に示した機能と異なる点は、画像データ送信部２５３が削除された点、特徴決定部２６１、設定情報送信部２６３、設定情報決定部２６５、部位決定部２６７およびセンサー情報受信部２６９が追加された点、である。その他の機能は、図５に示した機能と同じなのでここでは説明を繰り返さない。
【０１３５】
センサー情報受信部２６９は、通信Ｉ／Ｆ部２０５を制御して、通信制御部２５５から入力される経路識別情報で特定される通信経路を介して、ＭＦＰ１００からセンサー識別情報を受信する。センサー情報受信部２６９は、受信されたセンサー識別情報を部位決定部２５７に出力する。
【０１３６】
部位決定部２６７は、センサー情報受信部２６９からセンサー識別情報が入力されることに応じて、ＭＦＰ１００が有する複数の部位のうち、センサー識別情報で特定されるセンサーが配置されている部位を記録媒体が載置された部位に決定する。部位決定部２６７は、決定した部位を識別するための部位識別情報を設定情報決定部２６５に出力する。具体的には、部位決定部２６７は、原稿検出センサーを識別するためのセンサー識別情報が入力される場合、ＭＦＰ１００の自動原稿搬送装置１２０を、原稿が載置された部位に決定する。部位決定部２６７は、センサー情報受信部２６９から用紙検出センサーを識別するためのセンサー識別情報が入力される場合、ＭＦＰ１００の手差し給紙トレイ１５０Ａを、用紙が載置された部位に決定する。
【０１３７】
特徴決定部２６１は、撮像制御部２５１から入力される画像データの画像を解析して、記録媒体の物理的な特徴を決定する。特徴決定部２６１が、画像データの画像を解析して、記録媒体の物理的な特徴を決定する処理は、図５に示した特徴決定部５３が実行する処理と同じである。したがって、ここでは説明を繰り返さない。特徴決定部２６１は、記録媒体の物理的な特徴を示す特徴情報を、設定情報決定部２６５に出力する。
【０１３８】
設定情報決定部２６５は、部位決定部２６７から部位識別情報が入力され、特徴決定部２６１から特徴情報が入力される。設定情報決定部２６５は、部位識別情報で特定される部位に基づいて記録媒体の種類を決定し、記録媒体の種類と特徴情報とに基づいて設定情報を決定する。設定情報決定部２６５が、記録媒体の種類を決定し、記録媒体の種類と特徴情報とに基づいて設定情報を決定する処理は、図５に示した設定情報決定部５５が実行する処理と同じである。したがって、ここでは説明を繰り返さない。設定情報決定部２６５は、設定情報を決定すると、設定情報を設定情報送信部２６３に出力する。
【０１３９】
設定情報送信部２６３は、通信制御部２５５から経路識別情報が入力され、設定情報決定部２６５から設定情報が入力される。設定情報送信部２６３は、設定情報を、通信Ｉ／Ｆ部２０５を制御して、通信制御部２５５から入力される経路識別情報で特定される通信経路を介して、ＭＦＰ１００に送信する。
【０１４０】
図１３は、第２の実施の形態における設定処理の流れの一例を示すフローチャートである。図１３を参照して、図７に示した第１の実施の形態における設定処理と異なる点は、ステップＳ０１〜ステップＳ１１が、ステップＳ７１〜ステップＳ７７に変更された点である。その他の処理は、図７に示した処理と同じなのでここでは説明を繰り返さない。
【０１４１】
ＣＰＵ１１１は、ＨＭＤ２００を検出したか否かを判断する（ステップＳ７１）。ＨＭＤ２００を検出したならば処理をステップＳ７２に進めるが、そうでなければ処理をステップＳ７３に進める。ステップＳ７２においては、通信Ｉ／Ｆ部１１２を制御して、ＨＭＤ２００との間で通信経路を確立し、処理をステップＳ７３に進める。
【０１４２】
ステップＳ７３においては、原稿検出センサーがＯＮになったか否かを判断する。自動原稿搬送装置１２０に配置された原稿検出センサーがＯＮになったならば処理をステップＳ７４に進めるが、そうでなければ処理をステップＳ７５に進める。ステップＳ７４においては、原稿検出センサーのセンサー識別情報を、ＨＭＤ２００に送信し、処理をステップＳ７５に進める。
【０１４３】
ステップＳ７５においては、用紙検出センサーがＯＮになったか否かを判断する。手差し給紙トレイ１５０Ａに配置された用紙検出センサーがＯＮになったならば処理をステップＳ７６に進めるが、そうでなければ処理をステップＳ７７に進める。ステップＳ７６においては、用紙検出センサーのセンサー識別情報を、ＨＭＤ２００に送信し、処理をステップＳ７７に進める。
【０１４４】
ステップＳ７７においては、ＨＭＤ２００から設定情報を受信したか否かを判断する。通信Ｉ／Ｆ部１１２が、ステップＳ７２において確立された通信経路を介してＨＭＤ２００から設定情報を受信したならば処理をステップＳ７８に進めるが、そうでなければ処理をステップＳ１２に進める。ステップＳ７８においては、受信された設定情報に従って設定値を設定し、処理をステップＳ１２に進める。
【０１４５】
図１４は、第２の実施の形態における遠隔制御処理の流れの一例を示すフローチャートである。遠隔制御処理は、ＨＭＤ２００が備えるＣＰＵ２０１が、フラッシュメモリ２０３に記憶された遠隔操作プログラムを実行することにより、ＣＰＵ２０１により実行される処理である。図１４を参照して、ＣＰＵ２０１は、ＭＦＰ１００を検出したか否かを判断する（ステップＳ１０１）。近距離通信部２０７がＭＦＰ１００と通信可能になると、ＭＦＰ１００を検出する。次のステップＳ１０２においては、無線ＬＡＮＩ／Ｆ２０５を制御して、ＭＦＰ１００との間で通信経路を確立する。
【０１４６】
次のステップＳ１０３においては、カメラ２０２を制御して、撮像を開始する。次のステップＳ１０４においては、ＭＦＰ１００からセンサー識別情報を受信したか否かを判断する。無線ＬＡＮＩ／Ｆ２０５を制御して、ステップＳ１０２において確立された通信経路を介して、ＭＦＰ１００からセンサー識別情報を受信する。ＭＦＰ１００からセンサー識別情報を受信したならば処理をステップＳ１０５に進めるが、そうでなければ処理をステップＳ１１１に進める。
【０１４７】
ステップＳ１０５においては、特徴決定処理を実行する。特徴決定処理は、ステップＳ１０３において撮像を開始し、カメラ２０２が被写体を撮像して出力する画像データに基づいて、記録媒体の物理的な特徴を決定する処理であり、図８に示した特徴決定処理と同様の処理である。
【０１４８】
次のステップＳ１０６およびステップＳ１０７においては、ステップＳ１０４において受信されたセンサー識別情報で特定されるセンサーが配置される部位によって処理を分岐させる。センサー識別情報で特定されるセンサーが配置される部位が自動原稿搬送装置ならば処理をステップＳ１０８に進め、手差し給紙トレイならば処理をステップＳ１０９に進め、いずれでもなければ処理をステップＳ１１１に進める。
【０１４９】
ステップＳ１０８においては、原稿用設定情報決定処理を実行し、処理をステップＳ１１０に進める。原稿用設定情報決定処理は、ステップＳ１０５において決定された記録媒体の特徴情報を、原稿の物理特徴として設定項目に設定する候補値を決定する処理であり、図８に示した原稿用設定情報設定処理と同じである。
【０１５０】
ステップＳ１０９においては、用紙用設定情報決定処理を実行し、処理をステップＳ１１０に進める。用紙用設定情報決定処理は、ステップＳ１０５において決定された記録媒体の特徴情報を、用紙の物理特徴として設定項目に設定する候補値を決定する処理であり、図９に示した用紙用設定情報設定処理と同じである。
【０１５１】
ステップＳ１１０においては、ステップＳ１０８またはステップＳ１０９において決定された設定情報を、ＭＦＰ１００に送信し処理をステップＳ１１１に進める。具体的には、無線ＬＡＮＩ／Ｆ２０５を制御して、ステップＳ１０２において確立された通信経路を介して、ＭＦＰ１００に設定情報を送信する。
【０１５２】
ステップＳ１１１においては、終了指示を受け付けたか否かを判断する。操作部２０６がユーザーにより入力された終了指示を検出すると入力すると、処理を終了するが、そうでなければ処理をステップＳ１０４に戻す。
【０１５３】
＜第３の変形例＞
第１の実施の形態の第１の変形例と同様に、第２の実施の形態におけるＭＦＰ１００が備えるＣＰＵ１１１が有する部位決定部２６７が、撮像制御部２５１が出力する画像データの画像を解析することによって、記録媒体が載置された部位を決定するようにしてもよい。この場合、ＭＦＰ１００においては、センサー制御部５９およびセンサー情報送信部７５は不要であり、ＨＭＤ２００においては、センサー情報受信部２６９は不要である。
【０１５４】
＜第４の変形例＞
第１の実施の形態の第２の変形例における設定部６５と同様に、操作受付部６１から入力される設定操作の操作情報のみに従って、設定値を設定し、第２の変形例における変形例における警告部６９と同様に、ユーザーが処理の実行を指示する場合に、第２の変形例における設定部６５によって設定された複数の設定項目ごとに、その設定項目に設定される設定値を、設定情報に含まれる同じ設定項目名の候補値と比較し、２つの値が異なる場合に、ユーザーに警告するようにしてもよい。
【０１５５】
＜第５の変形例＞
ＨＭＤ２００がＭＦＰ１００を遠隔操作するようにしてもよい。この場合、ＨＭＤ２００が、ユーザーによるＭＦＰ１００に対する操作を受け付け、ＭＦＰ１００を制御する。このため、図１１に示した、操作受付部６１と警告部６９と同様の機能を、ＨＭＤ２００が有する。
【０１５６】
以上説明したように、本実実施の形態におけるＭＦＰ１００は、ＨＭＤ２００がＭＦＰ１００および記録媒体を被写体として撮像した画像を取得し、画像に基づいて、記録媒体の物理的な特徴を特徴情報として決定し、記録媒体が載置される部位を決定し、特徴情報および決定された部位に基づいて設定情報を決定する。記録媒体が載置された部位を自動原稿搬送装置１２０に決定する場合、原稿の物理的な特徴に基づいて設定情報を決定する。このため、原稿を読み取るための設定情報を決定することができる。
【０１５７】
また、記録媒体が載置された部位を手差し給紙トレイ１５０Ａに決定する場合、用紙の物理的な特徴に基づいて設定情報を決定するので、画像を形成するための設定情報を決定することができる。
【０１５８】
また、自動原稿搬送装置１２０に配置された原稿検出センサーにより原稿が検出される場合には、自動原稿搬送装置１２０を、記録媒体が載置された部位に決定し、手差し給紙トレイ１５０Ａに配置された用紙検出センサーにより用紙が検出される場合には、手差し給紙トレイ１５０Ａを、記録媒体が載置された部位に決定する。このため、記録媒体が載置される部位を容易に決定することができる。また、記録媒体が原稿であるのか用紙であるのかを決定することができる。
【０１５９】
また、ＨＭＤ２００がＭＦＰ１００および記録媒体を被写体として撮像した画像を取得し、画像を解析して、記録媒体が自動原稿搬送装置１２０および手差し給紙トレイ１５０Ａの何れに載置されたかを判別するので、記録媒体が載置される部位を容易に決定することができる。また、記録媒体が原稿であるのか用紙であるのかを決定することができる。
【０１６０】
また、ユーザーにより設定された設定情報が、用紙または原稿の物理的な特徴に基づいて決定された設定情報と異なる場合に、警告するので、誤った設定情報で処理が実行されるのを防止することができる。ユーザーにより誤った設定情報が設定されるのを防止することができる。
【０１６１】
なお、本実施の形態においては、ＨＭＤ２００が備えるカメラ２０２でＭＦＰ１００および記録媒体を被写体として撮像する例を示したが、固定した配置される監視カメラであってもよい。
【０１６２】
なお、本実施の形態においては、画像処理装置の一例としてＭＦＰ１００を例に説明したが、図７〜図１０に示した設定処理をＭＦＰ１００に実行させる設定方法、またはその設定方法を、ＭＦＰ１００が備えるＣＰＵ１１１に実行させる設定プログラムとして発明を捉えることができるのは言うまでもない。また、図１３に示した第２の実施の形態における設定処理をＭＦＰ１００に実行させ、図１４に示した遠隔制御処理をＨＭＤ２００に実行させる設定方法、また、図１３に示した第２の実施の形態における設定処理をＭＦＰ１００が備えるＣＰＵ１１１に実行させる設定プログラム、図１４に示した遠隔制御処理をＨＭＤ２００が備えるＣＰＵ２０１に実行させる遠隔制御プログラムとして発明を捉えることができるのは言うまでもない。
【０１６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１６４】
＜付記＞
（１）前記画像の属性は、文字が表された文字属性、写真が表された写真属性、図形が表された図形属性のうちの１以上を含む、請求項１２に記載の画像処理装置。
【符号の説明】
【０１６５】
１  画像処理システム、２  ネットワーク、３  無線局、５  インターネット、１００  ＭＦＰ、２００  ＨＭＤ、３００  ＰＣ、１１０  メイン回路、１１１  ＣＰＵ、１１２  通信Ｉ／Ｆ部、１１３  ＲＯＭ、１１４  ＲＡＭ、１１５  ＨＤＤ、１１６  ファクシミリ部、１１７  外部記憶装置、１１７Ａ  ＣＤ−ＲＯＭ、１１９  近距離通信部、１２０  自動原稿搬送装置、１３０  原稿読取部、１４０  画像形成部、１５０  給紙部、１５５  後処理部、１６０  操作パネル、１６１  表示部、１６３  操作部、２０１  ＣＰＵ、２０２  カメラ、２０３  フラッシュメモリ、２０４  表示部、２０５  無線ＬＡＮＩ／Ｆ、２０６  操作部、２０７  近距離通信部、５１  画像データ受信部、５３  特徴決定部、５５  設定情報決定部、５７  部位決定部、５９  センサー制御部、６１  操作受付部、６３  表示制御部、６５  設定部、６７  アプリケーション実行部、６９  警告部、７１  通信制御部、７３  設定情報受信部、７５  センサー情報送信部、２５１  撮像制御部、２５３  画像データ送信部、２５５  通信制御部、２５７  部位決定部、２６１  特徴決定部、２６３  設定情報送信部、２６５  設定情報決定部、２６７  部位決定部、２６９  センサー情報受信部。
【図１】
2016153206.tif 000003
【図２】
2016153206.tif 000004
【図３】
2016153206.tif 000005
【図４】
2016153206.tif 000006
【図５】
2016153206.tif 000007
【図６】
2016153206.tif 000008
【図７】
2016153206.tif 000009
【図８】
2016153206.tif 000010
【図９】
2016153206.tif 000011
【図１０】
2016153206.tif 000012
【図１１】
2016153206.tif 000013
【図１２】
2016153206.tif 000014
【図１３】
2016153206.tif 000015
【図１４】
2016153206.tif 000016